(57)【要約】【課題】コンピュータウィルス定義ファイル配布システムを提供する。【解決手段】本発明によれば、ウィルス定義ファイル配布サーバ１０のウィルス定義ファイル領域１１Ａに最新のウィルス定義ファイルを格納し、そのウィルス定義ファイル配布サーバ１０から送信されるウィルス定義ファイルとそれを証明する使用許可証を用いることで、コンピュータ端末４０のウィルス定義ファイルが古い状態のままではオペレーティングシステムの起動および操作が可能とならない。よって、コンピュータ端末４０のウィルス定義ファイルが定期的に更新されることにより、ウィルス感染といった危険性を低くする。また携帯端末２０を使用して、ウィルス定義ファイルを配布するため、インターネット５０に接続できない環境にあるコンピュータ端末４０でも、ウィルス定義ファイルの更新をおこなうことができる。【選択図】      図１
2006085318.tif 000002
【特許請求の範囲】
【請求項１】
ウィルス定義ファイル配布サーバと携帯端末とコンピュータ端末とから構成されるコンピュータウィルス定義ファイル配布システムであって、
前記ウィルス定義ファイル配布サーバは、
電子メールを送信する時刻を記憶する指定時刻領域と、ウィルス定義ファイルおよびその版数を記憶するウィルス定義ファイル領域と、前記ウィルス定義ファイルの配布先のＩＤ情報と電子メールの宛先とを記憶する配布対象者領域とを含む記憶部と、
前記指定時刻領域から前記時刻を読み出し、内部時刻と比較して当該時刻に達したかを判定する時刻判定手段と、
前記時刻判定手段が前記時刻に達したと判定した場合に、前記コンピュータ端末の使用を許可する日時と、前記配布対象者領域から配布先の前記ＩＤ情報と、前記ウィルス定義ファイル領域に記憶されている前記ウィルス定義ファイルの版数とを記録する使用許可証を作成する使用許可証作成手段と、
前記ウィルス定義ファイルと、前記使用許可証の内容とを添付する電子メールを、前記配布対象者領域に記憶されている前記宛先に送信する電子メール送信手段と、
を備え、
前記携帯端末は、
前記電子メール送信手段が送信した前記電子メールを受信する電子メール受信手段と、
前記電子メール受信手段が受信した前記電子メールに添付された前記使用許可証の内容と前記ウィルス定義ファイルとを着脱可能な記憶媒体に記憶する記憶手段と、
備え、
前記コンピュータ端末は、
前記携帯端末から移設された前記記憶媒体から前記使用許可証の内容と前記ウィルス定義ファイルとを読み取る読み取り手段と、
前記使用許可証の内容に含まれる前記ウィルス定義ファイルの版数と前記コンピュータ端末既存のウィルス定義ファイルの版数とを比較する版数比較手段と、
前記版数比較手段が前記使用許可証の内容に含まれる前記ウィルス定義ファイルの版数と前記コンピュータ端末既存のウィルス定義ファイルの版数とが一致したと判断した場合には、そのまま前記コンピュータ端末既存のウィルス定義ファイルを使用すべく設定するウィルス定義ファイル設定手段と、
前記版数比較手段が前記使用許可証の内容に含まれる前記ウィルス定義ファイルの版数と前記コンピュータ端末既存のウィルス定義ファイルの版数とが一致しないと判断した場合に、自コンピュータ端末のオペレーティングシステムを停止するオペレーティングシステム停止手段と、
を備えることを特徴とするコンピュータウィルス定義ファイル配布システム。
【請求項２】
ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記ウィルス定義ファイルと前記使用許可証の内容とを添付する電子メールを、ウィルス定義ファイル配布対象者の宛先に送信し、
携帯端末により、前記ウィルス定義ファイル配布サーバーが送信した前記電子メールを受信し、受信した前記電子メールに添付された前記ウィルス定義ファイルと前記使用許可証の内容とを着脱可能な記憶媒体に記憶し、
前記コンピュータ端末により、前記携帯端末から移設された前記記憶媒体から前記ウィルス定義ファイルと前記使用許可証の内容とを読み取り、前記使用許可証の内容に含まれる前記ウィルス定義ファイルの版数と前記コンピュータ端末既存のウィルス定義ファイルの版数とを比較し、前記版数が一致したと判断した場合には、そのまま前記コンピュータ端末既存のウィルス定義ファイルを使用し、前記版数が一致しないと判断した場合には、自コンピュータ端末のオペレーティングシステムを停止する、
ことを特徴とするコンピュータウィルス定義ファイル配布方法。
【請求項３】
コンピュータに、
ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記ウィルス定義ファイルと前記使用許可証の内容とを添付する電子メールを、ウィルス定義ファイル配布対象者の宛先に送信し、
携帯端末により、前記ウィルス定義ファイル配布サーバーが送信した前記電子メールを受信し、受信した前記電子メールに添付された前記ウィルス定義ファイルと前記使用許可証の内容とを着脱可能な記憶媒体に記憶し、
前記コンピュータ端末により、前記携帯端末から移設された前記記憶媒体から前記ウィルス定義ファイルと前記使用許可証の内容とを読み取り、前記使用許可証の内容に含まれる前記ウィルス定義ファイルの版数と前記コンピュータ端末既存のウィルス定義ファイルの版数とを比較し、前記版数が一致したと判断した場合には、そのまま前記コンピュータ端末既存のウィルス定義ファイルを使用し、前記版数が一致しないと判断した場合には、自コンピュータ端末のオペレーティングシステムを停止する、
ことを特徴とする機能を実現させるためのコンピュータウィルス定義ファイル配布用プログラム。
【請求項４】
ウィルス定義ファイル配布サーバと携帯端末とコンピュータ端末とから構成されるコンピュータウィルス定義ファイル配布システムであって、
前記ウィルス定義ファイル配布サーバは、
電子メールを送信する時刻を記憶する指定時刻領域と、ウィルス定義ファイルおよびその版数を記憶するウィルス定義ファイル領域と、前記ウィルス定義ファイルの配布先のＩＤ情報と電子メールの宛先とを記憶する配布対象者領域とを含む記憶部と、
前記指定時刻領域から前記時刻を読み出し、内部時刻と比較して当該時刻に達したかを判定する時刻判定手段と、
前記時刻判定手段が前記時刻に達したと判定した場合に、前記コンピュータ端末の使用を許可する日時と、前記配布対象者領域から配布先の前記ＩＤ情報と、前記ウィルス定義ファイル領域に記憶されている前記ウィルス定義ファイルの版数とを記録する使用許可証を作成する使用許可証作成手段と、
前記ウィルス定義ファイルと、前記使用許可証の内容とを添付する電子メールを、前記配布対象者領域に記憶されている前記宛先に送信する電子メール送信手段と、
を備え、
前記携帯端末は、
前記電子メール送信手段が送信した前記電子メールを受信する電子メール受信手段と、
前記電子メール受信手段が受信した前記電子メールに添付された前記使用許可証の内容と前記ウィルス定義ファイルとを着脱可能な記憶媒体に記憶する記憶手段と、
備え、
前記コンピュータ端末は、
前記携帯端末から移設された前記記憶媒体から前記使用許可証の内容と前記ウィルス定義ファイルとを読み取る読み取り手段と、
前記使用許可証の内容に含まれる前記ウィルス定義ファイルの版数と前記コンピュータ端末既存のウィルス定義ファイルの版数とを比較する版数比較手段と、
前記版数比較手段が前記使用許可証の内容に含まれる前記ウィルス定義ファイルの版数と前記コンピュータ端末既存のウィルス定義ファイルの版数とが一致したと判断した場合には、そのまま前記コンピュータ端末既存のウィルス定義ファイルを使用すべく設定し、前記版数比較手段が前記使用許可証の内容に含まれる前記ウィルス定義ファイルの版数と前記コンピュータ端末既存のウィルス定義ファイルの版数とが一致しないと判断した場合に、前記既存のウィルス定義ファイルを前記記憶媒体に記憶されている前記ウィルス定義ファイルで更新すべく設定するウィルス定義ファイル設定手段と、
オペレーティングシステムを再起動するオペレーティングシステム再起動手段と、
を備えることを特徴とするコンピュータウィルス定義ファイル配布システム。
【請求項５】
ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記ウィルス定義ファイルと前記使用許可証の内容とを添付する電子メールを、ウィルス定義ファイル配布対象者の宛先に送信し、
携帯端末により、前記ウィルス定義ファイル配布サーバーが送信した前記電子メールを受信し、受信した前記電子メールに添付された前記ウィルス定義ファイルと前記使用許可証の内容とを着脱可能な記憶媒体に記憶し、
前記コンピュータ端末により、前記携帯端末から移設された前記記憶媒体から前記ウィルス定義ファイルと前記使用許可証の内容とを読み取り、前記使用許可証の内容に含まれる前記ウィルス定義ファイルの版数と前記コンピュータ端末既存のウィルス定義ファイルの版数とを比較し、前記版数が一致したと判断した場合には、そのまま前記コンピュータ端末既存のウィルス定義ファイルを使用すべく設定し、前記版数が一致しないと判断した場合には、前記既存のウィルス定義ファイルを前記記憶媒体に記憶されている前記ウィルス定義ファイルで更新すべく設定する、
ことを特徴とするコンピュータウィルス定義ファイル配布方法。
【請求項６】
コンピュータに、
ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記ウィルス定義ファイルと前記使用許可証の内容とを添付する電子メールを、ウィルス定義ファイル配布対象者の宛先に送信し、
携帯端末により、前記ウィルス定義ファイル配布サーバーが送信した前記電子メールを受信し、受信した前記電子メールに添付された前記ウィルス定義ファイルと前記使用許可証の内容とを着脱可能な記憶媒体に記憶し、
前記コンピュータ端末により、前記携帯端末から移設された前記記憶媒体から前記ウィルス定義ファイルと前記使用許可証の内容とを読み取り、前記使用許可証の内容に含まれる前記ウィルス定義ファイルの版数と前記コンピュータ端末既存のウィルス定義ファイルの版数とを比較し、前記版数が一致したと判断した場合には、そのまま前記コンピュータ端末既存のウィルス定義ファイルを使用すべく設定し、前記版数が一致しないと判断した場合には、前記既存のウィルス定義ファイルを前記記憶媒体に記憶されている前記ウィルス定義ファイルで更新すべく設定する、
ことを特徴とする機能を実現させるためのコンピュータウィルス定義ファイル配布用プログラム。
【請求項７】
ウィルス定義ファイル配布サーバと携帯端末とコンピュータ端末とから構成されるコンピュータウィルス定義ファイル配布システムであって、
前記ウィルス定義ファイル配布サーバは、
電子メールを送信する時刻を記憶する指定時刻領域と、ウィルス定義ファイルおよびその版数とを記憶するウィルス定義ファイル領域と、前記ウィルス定義ファイルの配布先のＩＤ情報と電子メールの宛先とを記憶する配布対象者領域とを含む記憶部と、
前記指定時刻領域から前記時刻を読み出し、内部時刻と比較して当該時刻に達したかを判定する時刻判定手段と、
前記時刻判定手段が前記時刻に達したと判定した場合に、前記コンピュータ端末の使用を許可する日時と、前記配布対象者領域から配布先の前記ＩＤ情報と、前記ウィルス定義ファイル領域に記憶されている前記ウィルス定義ファイルの版数とを記録する使用許可証を作成する使用許可証作成手段と、
前記使用許可証作成手段が作成した前記使用許可証の内容を添付する電子メールを、前記配布対象者領域に記憶されている前記宛先に送信する電子メール送信手段と、
前記ウィルス定義ファイル領域に記憶されている前記ウィルス定義ファイルをインターネットを介して送信するインターネット送信手段と
を備え、
前記携帯端末は、
前記電子メール送信手段が送信した前記電子メールを受信する電子メール受信手段と、
前記電子メール受信手段が受信した前記電子メールに添付された前記使用許可証の内容を着脱可能な記憶媒体に記憶する記憶手段と、
備え、
前記コンピュータ端末は、
前記携帯端末から移設された前記記憶媒体から前記使用許可証の内容を読み取る読み取り手段と、
前記インターネットを介して情報を受信するインターネット受信手段と、
前記使用許可証の内容に含まれる版数と前記コンピュータ端末既存のウィルス定義ファイルの版数とを比較する版数比較手段と、
前記版数比較手段が前記使用許可証の内容に含まれる前記ウィルス定義ファイルの版数と前記コンピュータ端末既存のウィルス定義ファイルの版数とが一致したと判断した場合に、そのまま前記コンピュータ端末既存のウィルス定義ファイルを使用すべく設定し、前記版数比較手段が前記使用許可証の内容に含まれる前記ウィルス定義ファイルの版数と前記コンピュータ端末既存のウィルス定義ファイルの版数とが一致しないと判断した場合に、前記インターネット受信手段により受信した前記ウィルス定義ファイルで前記コンピュータ端末既存のウィルス定義ファイルを更新すべく設定するウィルス定義ファイル設定手段と、
オペレーティングシステムを再起動するオペレーティングシステム再起動手段と、
を備えることを特徴とするコンピュータウィルス定義ファイル配布システム。
【請求項８】
ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記使用許可証の内容を添付する電子メールを、ウィルス定義ファイル配布対象者の宛先に送信し、前記ウィルス定義ファイルをインターネットを介して送信し、
携帯端末により、前記ウィルス定義ファイル配布サーバーが送信した前記電子メールを受信し、受信した前記電子メールに添付された前記使用許可証の内容を着脱可能な記憶媒体に記憶し、
前記コンピュータ端末により、前記携帯端末から移設された前記記憶媒体から前記使用許可証の内容を読み取り、前記使用許可証の内容に含まれる前記ウィルス定義ファイルの版数と前記コンピュータ端末既存のウィルス定義ファイルの版数とを比較し、前記版数が一致したと判断した場合に、そのまま前記コンピュータ端末既存のウィルス定義ファイルを使用すべく設定し、前記版数が一致しないと判断した場合に、前記インターネット受信手段により受信した前記ウィルス定義ファイルで前記コンピュータ端末既存のウィルス定義ファイルを更新すべく設定する、
ことを特徴とするコンピュータウィルス定義ファイル配布方法。
【請求項９】
コンピュータに、
ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記使用許可証の内容を添付する電子メールを、ウィルス定義ファイル配布対象者の宛先に送信し、前記ウィルス定義ファイルをインターネットを介して送信し、
携帯端末により、前記ウィルス定義ファイル配布サーバーが送信した前記電子メールを受信し、受信した前記電子メールに添付された前記使用許可証の内容を着脱可能な記憶媒体に記憶し、
前記コンピュータ端末により、前記携帯端末から移設された前記記憶媒体から前記使用許可証の内容を読み取り、前記使用許可証の内容に含まれる前記ウィルス定義ファイルの版数と前記コンピュータ端末既存のウィルス定義ファイルの版数とを比較し、前記版数が一致したと判断した場合に、そのまま前記コンピュータ端末既存のウィルス定義ファイルを使用すべく設定し、前記版数が一致しないと判断した場合に、前記インターネット受信手段により受信した前記ウィルス定義ファイルで前記コンピュータ端末既存のウィルス定義ファイルを更新すべく設定する、
ことを特徴とする機能を実現させるためのコンピュータウィルス定義ファイル配布用プログラム。
【発明の詳細な説明】
【技術分野】
【０００１】
本発明は、コンピュータウィルス定義ファイル配布システム、コンピュータウィルス定義ファイル配布方法、およびコンピュータウィルス定義ファイル配布用プログラムに関する。
【背景技術】
【０００２】
コンピュータウィルスは、コンピュータ使用者の増加やその作成方法の容易性などの要因にともない、種類、感染数ともに増加の一途をたどっている。コンピュータウィルスからの防御方法として一般的に使用されているウィルスワクチンソフトウェアでは、こうした新たに増加するコンピュータウィルスに対しては、ウィルス定義ファイルの定期的な更新といった手段を講じている。このウィルス定義ファイルはインターネット等のネットワークを介して、コンピュータ端末の使用者がダウンロードするといった配布方法が一般的である。
【０００３】
【特許文献１】特開２００３−２１６４４４号公報（［０００９］，図１）
【発明の開示】
【発明が解決しようとする課題】
【０００４】
従来のコンピュータウィルス定義ファイルの更新は、コンピュータ端末使用者の手動か、もしくは定期的な自動更新機能によるものであった。しかし、ウィルス定義ファイルを更新したしないに関わらず、コンピュータを継続して利用することは可能であった。そのため、一時的なウィルス定義ファイル更新の遅れからウィルス感染被害を生んでいた。
【０００５】
本発明においては、ウィルス定義ファイルが更新されないコンピュータ端末では、コンピュータ端末の使用を制限するといった強固な手段を講じている。こうした仕組みを実施することによって、コンピュータ使用者のウィルス対策への関心を増すことにもつながる。
【課題を解決するための手段】
【０００６】
本発明のコンピュータウィルス定義ファイル配布システムは、ウィルス定義ファイル配布サーバと携帯端末とコンピュータ端末とから構成されるコンピュータウィルス定義ファイル配布システムであって、
前記ウィルス定義ファイル配布サーバは、
電子メールを送信する時刻を記憶する指定時刻領域と、ウィルス定義ファイルおよびその版数を記憶するウィルス定義ファイル領域と、前記ウィルス定義ファイルの配布先のＩＤ情報と電子メールの宛先とを記憶する配布対象者領域とを含む記憶部と、
前記指定時刻領域から前記時刻を読み出し、内部時刻と比較して当該時刻に達したかを判定する時刻判定手段と、
前記時刻判定手段が前記時刻に達したと判定した場合に、前記コンピュータ端末の使用を許可する日時と、前記配布対象者領域から配布先の前記ＩＤ情報と、前記ウィルス定義ファイル領域に記憶されている前記ウィルス定義ファイルの版数とを記録する使用許可証を作成する使用許可証作成手段と、
前記ウィルス定義ファイルと、前記使用許可証の内容とを添付する電子メールを、前記配布対象者領域に記憶されている前記宛先に送信する電子メール送信手段と、
を備え、
前記携帯端末は、
前記電子メール送信手段が送信した前記電子メールを受信する電子メール受信手段と、
前記電子メール受信手段が受信した前記電子メールに添付された前記使用許可証の内容と前記ウィルス定義ファイルとを着脱可能な記憶媒体に記憶する記憶手段と、
備え、
前記コンピュータ端末は、
前記携帯端末から移設された前記記憶媒体から前記使用許可証の内容と前記ウィルス定義ファイルとを読み取る読み取り手段と、
前記使用許可証の内容に含まれる前記ウィルス定義ファイルの版数と前記コンピュータ端末既存のウィルス定義ファイルの版数とを比較する版数比較手段と、
前記版数比較手段が前記使用許可証の内容に含まれる前記ウィルス定義ファイルの版数と前記コンピュータ端末既存のウィルス定義ファイルの版数とが一致したと判断した場合には、そのまま前記コンピュータ端末既存のウィルス定義ファイルを使用すべく設定するウィルス定義ファイル設定手段と、
前記版数比較手段が前記使用許可証の内容に含まれる前記ウィルス定義ファイルの版数と前記コンピュータ端末既存のウィルス定義ファイルの版数とが一致しないと判断した場合に、自コンピュータ端末のオペレーティングシステムを停止するオペレーティングシステム停止手段とを備える。
【０００７】
また、本発明のコンピュータウィルス定義ファイル配布方法は、ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記ウィルス定義ファイルと前記使用許可証の内容とを添付する電子メールを、ウィルス定義ファイル配布対象者の宛先に送信し、
携帯端末により、前記ウィルス定義ファイル配布サーバーが送信した前記電子メールを受信し、受信した前記電子メールに添付された前記ウィルス定義ファイルと前記使用許可証の内容とを着脱可能な記憶媒体に記憶し、
前記コンピュータ端末により、前記携帯端末から移設された前記記憶媒体から前記ウィルス定義ファイルと前記使用許可証の内容とを読み取り、前記使用許可証の内容に含まれる前記ウィルス定義ファイルの版数と前記コンピュータ端末既存のウィルス定義ファイルの版数とを比較し、前記版数が一致したと判断した場合には、そのまま前記コンピュータ端末既存のウィルス定義ファイルを使用し、前記版数が一致しないと判断した場合には、自コンピュータ端末のオペレーティングシステムを停止する、
ことを特徴とする。
【０００８】
さらに、本発明のコンピュータウィルス定義ファイル配布用プログラムは、コンピュータに、
ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記ウィルス定義ファイルと前記使用許可証の内容とを添付する電子メールを、ウィルス定義ファイル配布対象者の宛先に送信し、
携帯端末により、前記ウィルス定義ファイル配布サーバーが送信した前記電子メールを受信し、受信した前記電子メールに添付された前記ウィルス定義ファイルと前記使用許可証の内容とを着脱可能な記憶媒体に記憶し、
前記コンピュータ端末により、前記携帯端末から移設された前記記憶媒体から前記ウィルス定義ファイルと前記使用許可証の内容とを読み取り、前記使用許可証の内容に含まれる前記ウィルス定義ファイルの版数と前記コンピュータ端末既存のウィルス定義ファイルの版数とを比較し、前記版数が一致したと判断した場合には、そのまま前記コンピュータ端末既存のウィルス定義ファイルを使用し、前記版数が一致しないと判断した場合には、自コンピュータ端末のオペレーティングシステムを停止する、
ことを特徴とする機能を実現させる。
【０００９】
さらに、本発明のコンピュータウィルス定義ファイル配布システムは、ウィルス定義ファイル配布サーバと携帯端末とコンピュータ端末とから構成されるコンピュータウィルス定義ファイル配布システムであって、
前記ウィルス定義ファイル配布サーバは、
電子メールを送信する時刻を記憶する指定時刻領域と、ウィルス定義ファイルおよびその版数を記憶するウィルス定義ファイル領域と、前記ウィルス定義ファイルの配布先のＩＤ情報と電子メールの宛先とを記憶する配布対象者領域とを含む記憶部と、
前記指定時刻領域から前記時刻を読み出し、内部時刻と比較して当該時刻に達したかを判定する時刻判定手段と、
前記時刻判定手段が前記時刻に達したと判定した場合に、前記コンピュータ端末の使用を許可する日時と、前記配布対象者領域から配布先の前記ＩＤ情報と、前記ウィルス定義ファイル領域に記憶されている前記ウィルス定義ファイルの版数とを記録する使用許可証を作成する使用許可証作成手段と、
前記ウィルス定義ファイルと、前記使用許可証の内容とを添付する電子メールを、前記配布対象者領域に記憶されている前記宛先に送信する電子メール送信手段と、
を備え、
前記携帯端末は、
前記電子メール送信手段が送信した前記電子メールを受信する電子メール受信手段と、
前記電子メール受信手段が受信した前記電子メールに添付された前記使用許可証の内容と前記ウィルス定義ファイルとを着脱可能な記憶媒体に記憶する記憶手段と、
備え、
前記コンピュータ端末は、
前記携帯端末から移設された前記記憶媒体から前記使用許可証の内容と前記ウィルス定義ファイルとを読み取る読み取り手段と、
前記使用許可証の内容に含まれる前記ウィルス定義ファイルの版数と前記コンピュータ端末既存のウィルス定義ファイルの版数とを比較する版数比較手段と、
前記版数比較手段が前記使用許可証の内容に含まれる前記ウィルス定義ファイルの版数と前記コンピュータ端末既存のウィルス定義ファイルの版数とが一致したと判断した場合には、そのまま前記コンピュータ端末既存のウィルス定義ファイルを使用すべく設定し、前記版数比較手段が前記使用許可証の内容に含まれる前記ウィルス定義ファイルの版数と前記コンピュータ端末既存のウィルス定義ファイルの版数とが一致しないと判断した場合に、前記既存のウィルス定義ファイルを前記記憶媒体に記憶されている前記ウィルス定義ファイルで更新すべく設定するウィルス定義ファイル設定手段と、
オペレーティングシステムを再起動するオペレーティングシステム再起動手段と、
を備えることを特徴とする。
【００１０】
さらに、本発明のコンピュータウィルス定義ファイル配布方法は、ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記ウィルス定義ファイルと前記使用許可証の内容とを添付する電子メールを、ウィルス定義ファイル配布対象者の宛先に送信し、
携帯端末により、前記ウィルス定義ファイル配布サーバーが送信した前記電子メールを受信し、受信した前記電子メールに添付された前記ウィルス定義ファイルと前記使用許可証の内容とを着脱可能な記憶媒体に記憶し、
前記コンピュータ端末により、前記携帯端末から移設された前記記憶媒体から前記ウィルス定義ファイルと前記使用許可証の内容とを読み取り、前記使用許可証の内容に含まれる前記ウィルス定義ファイルの版数と前記コンピュータ端末既存のウィルス定義ファイルの版数とを比較し、前記版数が一致したと判断した場合には、そのまま前記コンピュータ端末既存のウィルス定義ファイルを使用すべく設定し、前記版数が一致しないと判断した場合には、前記既存のウィルス定義ファイルを前記記憶媒体に記憶されている前記ウィルス定義ファイルで更新すべく設定する、
ことを特徴とする。
【００１１】
さらに、本発明のコンピュータウィルス定義ファイル配布用プログラムは、コンピュータに、
ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記ウィルス定義ファイルと前記使用許可証の内容とを添付する電子メールを、ウィルス定義ファイル配布対象者の宛先に送信し、
携帯端末により、前記ウィルス定義ファイル配布サーバーが送信した前記電子メールを受信し、受信した前記電子メールに添付された前記ウィルス定義ファイルと前記使用許可証の内容とを着脱可能な記憶媒体に記憶し、
前記コンピュータ端末により、前記携帯端末から移設された前記記憶媒体から前記ウィルス定義ファイルと前記使用許可証の内容とを読み取り、前記使用許可証の内容に含まれる前記ウィルス定義ファイルの版数と前記コンピュータ端末既存のウィルス定義ファイルの版数とを比較し、前記版数が一致したと判断した場合には、そのまま前記コンピュータ端末既存のウィルス定義ファイルを使用すべく設定し、前記版数が一致しないと判断した場合には、前記既存のウィルス定義ファイルを前記記憶媒体に記憶されている前記ウィルス定義ファイルで更新すべく設定する、
ことを特徴とする機能を実現させる。
【００１２】
さらに、コンピュータウィルス定義ファイル配布システムは、ウィルス定義ファイル配布サーバと携帯端末とコンピュータ端末とから構成されるコンピュータウィルス定義ファイル配布システムであって、
前記ウィルス定義ファイル配布サーバは、
電子メールを送信する時刻を記憶する指定時刻領域と、ウィルス定義ファイルおよびその版数とを記憶するウィルス定義ファイル領域と、前記ウィルス定義ファイルの配布先のＩＤ情報と電子メールの宛先とを記憶する配布対象者領域とを含む記憶部と、
前記指定時刻領域から前記時刻を読み出し、内部時刻と比較して当該時刻に達したかを判定する時刻判定手段と、
前記時刻判定手段が前記時刻に達したと判定した場合に、前記コンピュータ端末の使用を許可する日時と、前記配布対象者領域から配布先の前記ＩＤ情報と、前記ウィルス定義ファイル領域に記憶されている前記ウィルス定義ファイルの版数とを記録する使用許可証を作成する使用許可証作成手段と、
前記使用許可証作成手段が作成した前記使用許可証の内容を添付する電子メールを、前記配布対象者領域に記憶されている前記宛先に送信する電子メール送信手段と、
前記ウィルス定義ファイル領域に記憶されている前記ウィルス定義ファイルをインターネットを介して送信するインターネット送信手段と
を備え、
前記携帯端末は、
前記電子メール送信手段が送信した前記電子メールを受信する電子メール受信手段と、
前記電子メール受信手段が受信した前記電子メールに添付された前記使用許可証の内容を着脱可能な記憶媒体に記憶する記憶手段と、
備え、
前記コンピュータ端末は、
前記携帯端末から移設された前記記憶媒体から前記使用許可証の内容を読み取る読み取り手段と、
前記インターネットを介して情報を受信するインターネット受信手段と、
前記使用許可証の内容に含まれる版数と前記コンピュータ端末既存のウィルス定義ファイルの版数とを比較する版数比較手段と、
前記版数比較手段が前記使用許可証の内容に含まれる前記ウィルス定義ファイルの版数と前記コンピュータ端末既存のウィルス定義ファイルの版数とが一致したと判断した場合に、そのまま前記コンピュータ端末既存のウィルス定義ファイルを使用すべく設定し、前記版数比較手段が前記使用許可証の内容に含まれる前記ウィルス定義ファイルの版数と前記コンピュータ端末既存のウィルス定義ファイルの版数とが一致しないと判断した場合に、前記インターネット受信手段により受信した前記ウィルス定義ファイルで前記コンピュータ端末既存のウィルス定義ファイルを更新すべく設定するウィルス定義ファイル設定手段と、
オペレーティングシステムを再起動するオペレーティングシステム再起動手段と、
を備える。
【００１３】
さらに、本発明のコンピュータウィルス定義ファイル配布方法は、ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記使用許可証の内容を添付する電子メールを、ウィルス定義ファイル配布対象者の宛先に送信し、前記ウィルス定義ファイルをインターネットを介して送信し、
携帯端末により、前記ウィルス定義ファイル配布サーバーが送信した前記電子メールを受信し、受信した前記電子メールに添付された前記使用許可証の内容を着脱可能な記憶媒体に記憶し、
前記コンピュータ端末により、前記携帯端末から移設された前記記憶媒体から前記使用許可証の内容を読み取り、前記使用許可証の内容に含まれる前記ウィルス定義ファイルの版数と前記コンピュータ端末既存のウィルス定義ファイルの版数とを比較し、前記版数が一致したと判断した場合に、そのまま前記コンピュータ端末既存のウィルス定義ファイルを使用すべく設定し、前記版数が一致しないと判断した場合に、前記インターネット受信手段により受信した前記ウィルス定義ファイルで前記コンピュータ端末既存のウィルス定義ファイルを更新すべく設定する、
ことを特徴とする。
【００１４】
さらに、本発明のコンピュータウィルス定義ファイル配布用プログラムは、コンピュータに、
ウィルス定義ファイル配布サーバーにより、予め記憶されている電子メールを送信する時刻を読み出し、この時刻が内部時刻と比較して当該時刻に達したかを判定し、前記時刻に達したと判定した場合に、ウィルス定義ファイル配布対象のコンピュータ端末の使用を許可する日時と配布先のＩＤ情報と前記ウィルス定義ファイルの版数とを記録する使用許可証を作成し、前記使用許可証の内容を添付する電子メールを、ウィルス定義ファイル配布対象者の宛先に送信し、前記ウィルス定義ファイルをインターネットを介して送信し、
携帯端末により、前記ウィルス定義ファイル配布サーバーが送信した前記電子メールを受信し、受信した前記電子メールに添付された前記使用許可証の内容を着脱可能な記憶媒体に記憶し、
前記コンピュータ端末により、前記携帯端末から移設された前記記憶媒体から前記使用許可証の内容を読み取り、前記使用許可証の内容に含まれる前記ウィルス定義ファイルの版数と前記コンピュータ端末既存のウィルス定義ファイルの版数とを比較し、前記版数が一致したと判断した場合に、そのまま前記コンピュータ端末既存のウィルス定義ファイルを使用すべく設定し、前記版数が一致しないと判断した場合に、前記インターネット受信手段により受信した前記ウィルス定義ファイルで前記コンピュータ端末既存のウィルス定義ファイルを更新すべく設定する、
ことを特徴とする機能を実現させる。
【発明の効果】
【００１５】
本発明によれば、ウィルス定義ファイル配布サーバのウィルス定義ファイル領域に最新のウィルス定義ファイルを格納し、そのウィルス定義ファイル配布サーバから送信されるウィルス定義ファイルとそれを証明する使用許可証を用いることで、コンピュータ端末のウィルス定義ファイルが古い状態のままではオペレーティングシステムの起動および操作が可能とならない。よって、コンピュータ端末のウィルス定義ファイルが定期的に更新されることにより、ウィルス感染といった危険性を低くする効果がある。
【００１６】
また携帯端末を使用して、ウィルス定義ファイルを配布するため、インターネットに接続できない環境にあるコンピュータ端末でも、ウィルス定義ファイルの更新をおこなうことができるという効果も生じる。
【発明を実施するための最良の形態】
【００１７】
次に、本発明の実施の形態について図面を参照して詳細に説明する。
【００１８】
本発明の一実施の形態の構成を示す図１を参照すると、この実施の形態におけるコンピュータウィルス定義ファイル配布システムは、ウィルス定義ファイル配布サーバ１０と携帯端末２０と着脱可能な記憶媒体３０とコンピュータ端末４０とから構成されている。
【００１９】
ウィルス定義ファイル配布サーバ１０は、記憶部１１と時刻判定手段１２と使用許可証作成手段１３と電子メール送信手段１４とを備える。
【００２０】
記憶部１１は、図２に示すように、電子メールを送信する時刻を記憶する指定時刻領域１１Ａと、ウィルス定義ファイルとその版数（バージョン番号）とを記憶するウィルス定義ファイル領域１１Ｂと、ウィルス定義ファイルの配布先のＩＤ情報と電子メールの宛先とを記憶する配布対象者領域１１Ｃとを備える。
【００２１】
時刻判定手段１２は、指定時刻領域１１Ａから時刻を読み出し、内部時刻と比較して使用許可証作成する時刻に達したかを判定する。
【００２２】
使用許可証作成手段１３は、時刻判定手段１２が使用許可証を作成する時刻に達したと判定した場合に、コンピュータ端末４０の使用を許可する日時と、配布対象者領域１１Ｃから配布先のＩＤ情報と、ウィルス定義ファイル領域１１Ｂに記憶されているウィルス定義ファイルの版数とを記録する使用許可証を作成する。
【００２３】
電子メール送信手段１４は、ウィルス定義ファイルと使用許可証作成手段１３が作成した使用許可証の内容とを添付する電子メールを、配布対象者領域１１Ｃに記憶されている宛先に送信する。
【００２４】
携帯端末２０は、電子メール送信手段１４が送信した電子メールを受信する電子メール受信手段２１と、この電子メール受信手段２１が受信した電子メールに添付された使用許可証の内容とウィルス定義ファイルとを着脱可能な記憶媒体３０に記憶する記憶手段２２とを備える。
【００２５】
コンピュータ端末４０は、コンピュータウィルス定義ファイル配布対象のコンピュータシステムである。読み取り手段４５は、携帯端末２０から移設された記憶媒体３０から使用許可証の内容とウィルス定義ファイルとを読み取る。版数比較手段４１は、使用許可証の内容に含まれるウィルス定義ファイルの版数とコンピュータ端末４０既存のウィルス定義ファイルの版数とを比較する。ウィルス定義ファイル設定手段４２は、この版数比較手段４１が使用許可証の内容に含まれるウィルス定義ファイルの版数とコンピュータ端末４０既存のウィルス定義ファイルの版数とが一致したと判断した場合には、そのままコンピュータ端末４０既存のウィルス定義ファイル使用すべく設定する。版数比較手段４１が使用許可証の内容に含まれるウィルス定義ファイルの版数とコンピュータ端末４０既存のウィルス定義ファイルの版数とが一致しないと判断した場合には、オペレーティングシステム停止手段４４が、自コンピュータ端末４０のオペレーティングシステムを停止する。
【００２６】
次に、図１〜図４を参照しながら、この実施の形態の動作の説明をする。
【００２７】
まず、ウィルス定義ファイル配布サーバ１０の時刻判定手段１２が、電子メールを送信する時刻を記憶する指定時刻領域１１Ａから時刻を読み出し、指定時刻と比較して当該時刻に達したかを判定する（図３のステップＡ−１）。
【００２８】
指定時刻を過ぎている場合、指定時刻領域１１Ａから該当の指定時刻情報を削除し、使用許可証の作成（図３のステップＡ−２）へと遷移する。指定時刻に未達の場合は一定時間をおきながら図３のステップＡ−１を繰り返す。
【００２９】
ステップＡ−２では使用許可証作成手段１３により使用許可証を作成する。使用許可証には、コンピュータ端末４０の使用を許可する日時と、配布対象者領域１１Ｃから配布先のＩＤ情報と、ウィルス定義ファイル領域１１Ｂに記憶されているウィルス定義ファイルの版数とを記録する。使用を許可する日時は、当日から２日間とする。この使用許可証は配布対象者領域１１Ｃに記憶されている各配布対象者について個々に作成する。
【００３０】
使用許可証作成後、使用許可証をそれぞれ暗号化する（図３のステップＡ−３）。これは、コンピュータ端末４０の使用者に使用許可証を偽造されないためである。
【００３１】
次にウィルス定義ファイル配布サーバ１０は電子メール送信手段１４により電子メールの送信をおこなう（図３のステップＡ−４）。送信する電子メールは、宛先に配布対象者領域１１Ｃに記憶されている電子メールアドレス宛に、添付ファイル形式でウィルス定義ファイル領域１１Ｂに記録されているウィルス定義ファイルと、図３のステップＡ−３で暗号化された使用許可証の内容を添付したものである。使用許可証は電子メールの宛先に対応するＩＤ情報で作成されたものである。電子メールの送信後、指定時刻のチェック（図３のステップＡ−１）へと遷移する。
【００３２】
携帯端末２０は、ウィルス定義ファイル配布サーバ１０の電子メール送信手段１４によりインターネット５０を介して送信された電子メールを電子メール受信手段２１により受信する。受信した電子メールの添付ファイルは着脱可能な記憶媒体３０に記憶手段２２により記憶される。
【００３３】
コンピュータ端末４０の使用者は、コンピュータ端末４０を起動する前に、携帯端末２０で受信した電子メールの添付ファイルを記憶した着脱可能な記憶媒体３０をコンピュータ端末４０に接続する。
【００３４】
コンピュータ端末４０起動後の動作は図４のとおりである。図４を参照すると、まず、記憶媒体３０が接続されているかの確認をおこなう（図４のステップＢ−１）。接続されていない場合は記憶媒体３０をコンピュータ端末４０に接続する（図４のステップＢ−４）。接続されている場合は、記憶媒体３０に記憶されている暗号化された使用許可証の復号をおこなう（図４のステップＢ−２）。
【００３５】
使用許可証の復号後、復号した使用許可証の内容の確認をおこなう（図４のステップＢ−３）。第１の確認項目は、コンピュータ端末４０の内部時計の時刻が使用許可証に記録されている使用を許可する日時の範囲内であるかどうか、第２の確認項目は、使用許可証に記録されている使用者のＩＤ情報がコンピュータ端末４０に予め登録されている使用者のＩＤ情報と合致するかどうか、そして第３の確認項目は、使用許可証の内容に含まれるウィルス定義ファイルの版数とコンピュータ端末４０既存のウィルス定義ファイルの版数と合致するかどうかを版数比較手段４１により確認する。いずれか１でも条件に合致していない場合は、条件判定の結果をコンピュータ端末４０の表示部にメッセージ表示し、オペレーティングシステム停止手段４４によりオペレーティングシステムを停止する（図４のステップＢ−６）。上記３つの確認項目が合致すれば、そのままコンピュータ端末４０既存のウィルス定義ファイルを使用すべく設定することにより、コンピュータ端末４０の一般的な操作が可能となる（図４のステップＢ−５）。
【００３６】
本発明の他の実施の形態におけるコンピュータ端末４０の動作の一例を示す流れ図である図５を参照すると、本発明の他の実施の形態におけるコンピュータ端末４０の動作の一例は、使用許可証の複合（図５のステップＣ−２）後、復号した使用許可証の内容の確認をおこなう（図５のステップＣ−３）。上記３つの確認項目が合致すれば、そのままコンピュータ端末４０既存のウィルス定義ファイルを使用すべく設定することにより、コンピュータ端末４０の一般的な操作が可能となる（図５のステップＣ−５）。上記第１、第２の確認項目が合致していて、第３の確認項目、すなわち、使用許可証の内容に含まれるウィルス定義ファイルの版数とコンピュータ端末４０既存のウィルス定義ファイルの版数とが合致していない場合、コンピュータ端末４０既存のウィルス定義ファイルを記憶媒体３０に記憶されている最新のウィルス定義ファイルで更新する（図５のステップＣ−６）。その後、コンピュータ端末４０のオペレーティングシステムをオペレーティングシステム再起動手段４３により再起動（図５のステップＣ−７）することにより、コンピュータ端末４０の一般的な操作が可能となる（図５のステップＣ−８）。
【００３７】
以上説明したように、これらの実施の形態によれば、携帯端末を使用してウィルス定義ファイルを配布するため、インターネットに接続できない環境にあるコンピュータ端末でも、ウィルス定義ファイルの更新をおこなうことができる。このことにより、インターネットに接続していないコンピュータ端末でＣＤなどを作成しても、ウィルスに犯される可能性が少なくなる。
【００３８】
先の実施の形態では、携帯端末への電子メールの添付ファイルにウィルス定義ファイルと使用許可証を添付していたが、本例では電子メールの容量を少なくするためにウィルス定義ファイルは添付せずに使用許可証のみを添付する例について説明する。この場合、ウィルス定義ファイルの更新は、インターネット等のネットワークを利用したダウンロードでおこなう。
【００３９】
この実施の形態の構成を示す図６を参照すると、先の実施の形態と異なる点は、コンピュータ端末１４０がインターネット５０に接続されていることである。それに伴って、ウィルス定義ファイル配布サーバ１１０にインターネット送信手段１５を備えることと、コンピュータ端末１４０にインターネット受信手段４６を備えることである。
【００４０】
まずウィルス定義ファイル配布サーバ１１０の動作で異なる部分は、電子メールの添付ファイル形式として添付するものは、使用許可証のみであり、ウィルス定義ファイルは添付しない点である。暗号化された使用許可証のみ添付した電子メールを配布対象者領域（図２の１１Ｃ）に記憶されている配布先に送付する。
【００４１】
携帯端末１２０では、電子メール受信手段２１で受信した電子メールの添付ファイル（ここでは使用許可証）を記憶手段２２により記憶媒体３０に記憶する。
【００４２】
図７を参照して、コンピュータ端末１４０の動作を説明する。
【００４３】
まず、記憶媒体３０がコンピュータ端末５０に接続されているかを確認する（ステップＤ−１）。接続されていない場合は記憶媒体３０を接続する（ステップＤ−４）。接続されている場合は、記憶媒体３０に記憶されている使用許可証の内容の復号をおこなう（ステップＤ−２）。
【００４４】
使用許可証の復号後、使用許可証の内容の確認をおこなう（ステップＤ−３）。確認項目は３つあり、第１の確認項目はコンピュータ端末１４０の内部時計の時刻が使用許可証に記録されている使用を許可する日時の範囲内であるかどうか、第２の確認項目は使用許可証に記録されている使用者のＩＤ情報がコンピュータ端末１４０に予め登録されている使用者のＩＤ情報と合致するかどうか、そして第３の確認項目は使用許可証に記録されているウィルス定義ファイルの版数が、コンピュータ端末１４０既存のウィルス定義ファイルの版数と合致するかどうかの３点である。
【００４５】
上記３つの確認項目が合致すれば、そのままコンピュータ端末１４０既存のウィルス定義ファイルを使用すべく設定することにより、コンピュータ端末１４０の一般的な操作が可能となる（図７のステップＤ−５）。上記第１、第２の確認項目が合致していて、第３の確認項目、すなわち、使用許可証の内容に含まれるウィルス定義ファイルの版数とコンピュータ端末１４０既存のウィルス定義ファイルの版数とが合致していない場合、コンピュータ端末１４０既存のウィルス定義ファイルをインターネットからダウンロードした（図７のステップＤ−６）最新のウィルス定義ファイルに更新する（図７のステップＤ−７）。その後、コンピュータ端末１４０のオペレーティングシステムをオペレーティングシステム再起動手段４３により再起動（図７のステップＤ−８）することにより、コンピュータ端末１４０の一般的な操作が可能となる（図７のステップＤ−９）。
【００４６】
以上のような実施の形態をとることで、ウィルス定義ファイル配布サーバ１１０から送信される電子メールの添付ファイルは使用許可証のみとなり、送信する電子メールのデータ量を少なく抑えることが可能となる。ただしウィルス定義ファイルの更新はネットワークを利用したダウンロードを利用するため、コンピュータ端末１４０がインターネット等のネットワークに接続されているという条件が必要になる。
【００４７】
以上説明したように、上述のこれらの実施の形態によれば、ウィルス定義ファイル配布サーバのウィルス定義ファイル領域に最新のウィルス定義ファイルを格納し、そのウィルス定義ファイル配布サーバから送信されるウィルス定義ファイルとそれを証明する使用許可証を用いることで、コンピュータ端末のウィルス定義ファイルが古い状態のままではオペレーティングシステムの起動および操作が可能とならない。よって、コンピュータ端末のウィルス定義ファイルが定期的に更新されることにより、ウィルス感染といった危険性を低くする。
【００４８】
上記コンピュータウィルス定義ファイル配布方法は、コンピュータにそれぞれの機能を実現させることができる。
【図面の簡単な説明】
【００４９】
【図１】本発明の一実施の形態の構成を示すブロック図である。
【図２】この実施の形態おけるウィルス定義ファイル配布サーバの記憶部の構成を示す図である。
【図３】この実施の形態おけるウィルス定義ファイル配布サーバの動作の一例を示す流れ図である。
【図４】この実施の形態おけるコンピュータ端末の動作の一例を示す流れ図である。
【図５】この実施の形態おけるコンピュータ端末の動作の一例を示す流れ図である。
【図６】本発明の他の実施の形態の構成を示すブロック図である。
【図７】他の実施の形態におけるコンピュータ端末の動作の一例を示す流れ図である。
【符号の説明】
【００５０】
１０，１１０    ウィルス定義ファイル配布サーバ
１１    記憶部
１１Ａ    指定時刻領域
１１Ｂ    ウィルス定義ファイル領域
１１Ｃ    配布対象者領域
１２    時刻判定手段
１３    使用許可証作成手段
１４    電子メール送信手段
１５    インターネット送信手段
２０，１２０    携帯端末
２１    電子メール受信手段
２２    記憶手段
３０    記憶媒体
４０，１４０    コンピュータ端末
４１    版数比較手段
４２    ウィルス定義ファイル設定手段
４３    オペレーティングシステム再起動手段
４４    オペレーティングシステム停止手段
４５    読み取り手段
４６    インターネット受信手段
５０    インターネット
【図１】
2006085318.tif 000003
【図２】
2006085318.tif 000004
【図３】
2006085318.tif 000005
【図４】
2006085318.tif 000006
【図５】
2006085318.tif 000007
【図６】
2006085318.tif 000008
【図７】
2006085318.tif 000009